(57)【要約】【課題】乾式による鉛弾の分離回収方法において、ほぼ１００％の鉛弾を分離回収することができる射撃場等の鉛弾分別回収システムを提供すること。【解決手段】射撃場等で土壌に分散された鉛弾を分別して回収する方法であって、鉛弾を含む土砂を解砕して乾燥させ、該乾燥した土砂を鉛弾に近い粒径で分級するとともに、該分級後の土砂を風力を用いて比重差選別し、該選別後の比重が大きい方の土砂を、渦電流により非鉄金属を選別する磁力選別装置にかけて鉛弾と土砂とを分別する。【選択図】  図１
2004148250.tif 000002
【特許請求の範囲】
【請求項１】
射撃場等で土壌に分散された鉛弾を分別して回収する方法であって、鉛弾を含む土砂を風力を用いる比重差選別及び／又は渦電流により非鉄金属を選別する磁力選別することにより、鉛弾と土砂とに分別することを特徴とする射撃場等の鉛弾分別回収システム。
【請求項２】
鉛弾を含む土砂を風力を用いる比重差選別した後、渦電流により非鉄金属を選別する磁力選別することにより、鉛弾と土砂とに分別することを特徴とする請求項１記載の射撃場等の鉛弾分別回収システム。
【請求項３】
鉛弾を含む土砂を解砕して乾燥させ、該乾燥した土砂を鉛弾に近い粒径で分級した後、選別を行うことを特徴とする請求項１又は２記載の射撃場等の鉛弾分別回収システム。
【請求項４】
前記磁力選別装置により分別した鉛弾を再分級することを特徴とする請求項１、２又は３記載の射撃場等の鉛弾分別回収システム。
【請求項５】
前記分級後の所定の粒径以上の土砂を風力を用いて比重差選別し、該選別後の比重が大きい方の土砂を所定の粒径以下に分級し、該分級後の土砂を前記最初の分級工程に送ることを特徴とする請求項１、２、３又は４記載の射撃場等の鉛弾分別回収システム。
【請求項６】
前記風力による比重差選別を、略密閉された空間内で空気を循環させて行うようにしたことを特徴とする請求項１、２、３、４又は５記載の射撃場等の鉛弾分別回収システム。
【発明の詳細な説明】
【０００１】
【発明の属する技術分野】
本発明は、射撃場等の鉛弾分別回収システムに関し、特に、乾式による鉛弾の分離回収方法において、ほぼ１００％の鉛弾を分離回収することができる射撃場等の鉛弾分別回収システムに関するものである。
【０００２】
【従来の技術】
散弾銃やライフル等の射撃場では、屋外で的撃ちをすることから土壌中に鉛弾が分散される。これらの鉛弾は、従来はそのまま放置されているため、近年の酸性雨等によって鉛成分が溶出し土壌を汚染するという問題を有している。
【０００３】
このような鉛弾を土砂から分離回収する方法として、湿式では水流等を利用した比重差選別、乾式では風力を利用した比重差選別が考えられる。
湿式による鉛弾の分離回収方法は、ほぼ１００％の鉛弾を分別して回収することが可能であるが、鉛汚染された水の処理が必要となり、コストが著しく高くなるという問題を有している。
これに対し、乾式による鉛弾の分離回収方法は、コストやシステム的に有利であるが、風力による分別だけでは９０％程度の鉛弾しか回収することができず、また、粉塵対策も必要であるなどの問題があった。
【０００４】
【発明が解決しようとする課題】
本発明は、上記従来の射撃場等の鉛弾分別回収システムが有する問題点に鑑み、
乾式による鉛弾の分離回収方法において、ほぼ１００％の鉛弾を分離回収することができる射撃場等の鉛弾分別回収システムを提供することを目的とする。
【０００５】
【課題を解決するための手段】
上記目的を達成するため、本発明の射撃場等の鉛弾分別回収システムは、射撃場等で土壌に分散された鉛弾を分別して回収する方法であって、鉛弾を含む土砂を風力を用いる比重差選別及び／又は渦電流により非鉄金属を選別する磁力選別することにより、鉛弾と土砂とに分別することを特徴とする。
ここで、鉛弾を含む土砂を風力を用いる比重差選別した後、渦電流により非鉄金属を選別する磁力選別することにより、鉛弾と土砂とに分別することができる。
【０００６】
この射撃場等の鉛弾分別回収システムは、乾式による鉛弾の分離回収方法においても、ほぼ１００％の鉛弾を分離回収することができ、また、散弾や実弾の扁平形状のものや破片も分別回収することができる。
【０００７】
この場合において、鉛弾を含む土砂を解砕して乾燥させ、該乾燥した土砂を鉛弾に近い粒径で分級した後、選別を行うことができる。
ここで、「鉛弾に近い粒径で分級する」とは、鉛弾の粒径より若干大きい粒径以上の土砂と、鉛弾を含むそれより小さい土砂とを分別することをいう。
【０００８】
これにより、鉛弾と土砂との分別精度を向上することができる。
【０００９】
また、前記磁力選別装置により分別した鉛弾を再分級することができる。
【００１０】
これにより、回収した鉛弾に含まれる異物を除去し、鉛弾を再生資源としてリサイクルすることができる。
【００１１】
また、前記分級後の所定の粒径以上の土砂を風力を用いて比重差選別し、該選別後の比重が大きい方の土砂を所定の粒径以下に分級し、該分級後の土砂を前記最初の分級工程に送ることができる。
【００１２】
これにより、最初の分級工程により分級された粗い粒径の土砂に混入する鉛弾を分離回収することができる。
【００１３】
また、前記風力による比重差選別を、略密閉された空間内で空気を循環させて行うようにすることができる。
【００１４】
これにより、比重差選別工程での粉塵の発生を防止することができる。
【００１５】
【発明の実施の形態】
以下、本発明の射撃場等の鉛弾分別回収システムの実施の形態を図面に基づいて説明する。
【００１６】
図１に、本発明の射撃場等の鉛弾分別回収システムの一実施例を示す。
この射撃場等の鉛弾分別回収システムは、射撃場等で土壌に分散された鉛弾を分別して回収するに際し、鉛弾を含む土砂を解砕して乾燥させ、該乾燥した土砂を鉛弾に近い粒径で分級する（鉛弾の粒径より若干大きい粒径以上の土砂と、鉛弾を含むそれより小さい土砂とを分別することをいう。）とともに、該分級後の土砂を風力を用いて比重差選別している。
そして、該選別後の比重が大きい方の土砂を、渦電流により非鉄金属を選別する磁力選別装置にかけて鉛弾と土砂とに分別し、該分別後の鉛弾を再分級している。
【００１７】
また、この鉛弾分離回収システムでは、図１（ｈ）に示すように、前記分級後の所定の粒径以上の土砂を風力を用いて比重差選別し、該選別後の比重が大きい方の土砂を所定の粒径以下に分級し、該分級後の土砂を前記最初の分級工程に送るようにしている。
これにより、最初の分級工程により分級された粗い粒径の土砂に混入する鉛弾を分離回収するようにしている。
なお、所定の粒径以上に分級された土砂は、コロスや木・根、土塊、石、クレー等に選別される。
【００１８】
鉛弾を含む土砂の解砕は、図１（ａ）に示すように、解砕機が装着されたパワーショベル等により、土砂の積み込みと同時に行うことができる。
また、図１（ｂ）に示すように、解砕を繰り返すことにより、土塊を細かくするとともに植物の根等を裁断して、鉛弾を土砂等から分離させる。
【００１９】
乾燥工程は、図１（ｃ）に示すように、解砕した土砂を温風送風機等により強制的に乾燥させることも可能である。
このように、土砂を乾燥させることにより、鉛弾の選別精度を向上させることができる。
【００２０】
最初の分級工程は、図１（ｄ）又は図２に示すように、例えば、ホッパー１に投入した土砂をコンベア２により搬送し、傾斜スクリーン３によりふるいにかける移動式ふるい機等を使用することができる。なお、この分級工程では、鉛弾の大きさに合わせて土砂をふるうことにより分別精度を向上させることができる。
この分級工程では、本実施例のものにおいては、直径３ミリ未満の散弾を対象としているため、３ミリ以下のものが鉛弾に近い粒径の土砂として分級される（直径３ミリ未満の鉛弾を含む小さい粒径の土砂が、鉛弾の粒径より若干大きい粒径以上の土砂から分別される）とともに、それ以外が、３〜１５ミリの粒径の土砂と１５ミリ以上の粒径の土砂として分級される。
このうち、３〜１５ミリの粒径の土砂は分析後適切に処置され、１５ミリ以上の粒径の土砂は、前記した所定の粒径以上の土砂として、図１（ｈ）に示すように、風力を用いた比重差選別に付され、該選別後の比重が大きい方の土砂が所定の粒径以下に分級された後、最初の分級工程に送られる。
【００２１】
分級された鉛弾を含む土砂は、図１（ｅ）示すように、風力選別装置に送られて、循環する空気の風力により比重差選別される。
この風力選別装置は、図３に示すように、密閉された空間内で空気を循環させて、上向きの風流路４に、電磁フィーダー５から土砂を徐々に供給することにより、比重の大きい物は下の出口６１に落下させるとともに、比重の小さい物は風力により上昇させて別の出口６２に落下させるすることができる。
このように、比重差選別のための空気を密閉された空間内で循環させることにより、比重差選別工程での粉塵の発生を防止することができる。
また、この風力選別装置によって軽量土砂を除去し、鉛弾を含む土砂の量を約数十分の１（本実施例においては、約１／２５）に減じることにより、後工程の分別精度を大きく向上させることができる。
【００２２】
比重差選別された比重が大きい方の土砂は、図１（ｆ）に示すように、渦電流により非鉄金属を選別する磁力選別装置にかけられて、鉛弾１０と土砂１１とが分別される。
この磁力選別装置は、例えば、図４に示すように、多数の永久磁石７を極性を変えて交互に埋設したドラム８をコンベア９と逆方向に高速で回転させ、ドラム８の傍を通過する導電体、すなわち鉛弾１０に渦電流を発生させ、鉛弾１０の磁界と永久磁石７の磁界とを反発させることによって、鉛弾１０をはじき飛ばすことができる。
【００２３】
磁力選別装置により分別された鉛弾は、図１（ｇ）に示すように、例えば、４ミリのふるいによって再分級することにより、不純物となる石等が除去され、再生資源としてリサイクルされる。
【００２４】
かくして、本実施例の射撃場等の鉛弾分離回収システムは、鉛弾を含む土砂を解砕して乾燥させ、該乾燥した土砂を鉛弾に近い粒径で分級するとともに、該分級後の土砂を風力を用いて比重差選別し、該選別後の比重が大きい方の土砂を、渦電流により非鉄金属を選別する磁力選別装置にかけて鉛弾と土砂とに分別することから、乾式による鉛弾の分離回収方法においても、ほぼ１００％の鉛弾を分離回収することができる。
【００２５】
以上、本発明の射撃場等の鉛弾分別回収システムを、その実施例に基づいて説明したが、本発明の射撃場等の鉛弾分別回収システムの構成は、この実施例の記載に限定されるものではなく、射撃場等の土壌の性状等の現場の状況に応じて、鉛弾を含む土砂を、風力を用いる比重差選別と、渦電流により非鉄金属を選別する磁力選別とを適宜選択して実施する等、その趣旨を逸脱しない範囲において適宜に変更することが可能であり、また、上記実施例の鉛弾のほか、実弾やその破片も、分級する粒径を調整することにより分別回収することもでき、これを排除しないものである。
【００２６】
【発明の効果】
本発明の射撃場等の鉛弾分別回収システムによれば、乾式による鉛弾の分離回収方法においても、ほぼ１００％の鉛弾を分離回収することができ、また、散弾や実弾の扁平形状のものや破片も分別回収することができ、射撃場等において鉛成分が溶出し土壌を汚染することを未然に防止することができる。
【００２７】
また、鉛弾を含む土砂を解砕して乾燥させ、該乾燥した土砂を鉛弾に近い粒径で分級した後、選別を行うことにより、鉛弾と土砂との分別精度を向上することができる。
【００２８】
また、前記磁力選別装置により分別した鉛弾を再分級することにより、回収した鉛弾に含まれる異物を除去し、鉛弾を再生資源としてリサイクルすることができる。
【００２９】
また、前記分級後の所定の粒径以上の土砂を風力を用いて比重差選別し、該選別後の比重が大きい方の土砂を所定の粒径以下に分級し、該分級後の土砂を前記最初の分級工程に送ることにより、最初の分級工程により分級された粗い粒径の土砂に混入する鉛弾を分離回収することができる。
【００３０】
また、前記風力による比重差選別を、略密閉された空間内で空気を循環させて行うようにすることにより、比重差選別工程での粉塵の発生を防止することができる。
【図面の簡単な説明】
【図１】本発明の射撃場等の鉛弾分別回収システムの一実施例を示す説明図である。
【図２】同実施例の鉛弾分離回収システムで使用する移動式ふるい装置を示し、（ａ）は平面図、（ｂ）は正面図である。
【図３】同風力選別装置を示す断面図である。
【図４】同磁力選別装置を示す断面図である。
【符号の説明】
１    ホッパー
２    コンベア
３    傾斜スクリーン
４    風流路
５    電磁フィーダー
６１、６２  出口
７    永久磁石
８    ドラム
９    コンベア
１０  鉛弾
１１  土砂
【図１】
2004148250.tif 000003
【図２】
2004148250.tif 000004
【図３】
2004148250.tif 000005
【図４】
2004148250.tif 000006